(57)【要約】【課題】  バスの側面パネルが側方向に設けられるサイドフレームとシートを装着させるシートレールを兼ねるようにしたバスの側面パネルアセンブリを提供する。【解決手段】  バスの側面下部を形成する下部パネル部１１と、内部が中空のパイプ形態に形成されるフレーム部１２と、前記フレーム部１２で前記バスの室内側に前記バスの長手方向に沿って溝の形態に形成され、シートＳが装着される前記シートレール部１３とが一体に形成される下部パネル１０と、下部パネル部１１の上方に位置し、バスの側面上部を形成する上部パネル部２１と、前記下部パネル１０のフレーム部１１を把持して前記フレーム部１１に結合される把持部２２とが一体に形成される上部パネル２０とを含み、前記上部パネル２０の把持部２２が前記下部パネル１０のフレーム部１１に結合することにより、前記上部パネル２０と下部パネル１０とが結合されることを特徴とする。【選択図】図６
2014019427.tif 000002
【特許請求の範囲】
【請求項１】
バスの側面下部を形成する下部パネル部と、前記下部パネル部の上端からつながり、内部が中空のパイプ形態に形成されるフレーム部と、前記フレーム部で前記バスの室内側に前記バスの長手方向に沿って溝の形態に形成され、シートが装着される前記シートレール部とが一体に形成される下部パネルを含むことを特徴とするフレームとシートレールを兼ねるバスの側面パネルアセンブリ。
【請求項２】
前記下部パネルの上方に位置し、その下端が前記フレーム部の上端を収容するように前記フレーム部に結合される上部パネルをさらに含むことを特徴とする請求項１に記載のフレームとシートレールを兼ねるバスの側面パネルアセンブリ。
【請求項３】
前記上部パネルは、
前記下部パネルの下部パネル部の上方に位置し、バスの側面上部を形成する上部パネル部と、
前記上部パネル部の下端に前記上部パネル部からつながって形成され、前記下部パネルのフレーム部を把持して前記フレーム部に結合される把持部とを含み、
前記上部パネル部と把持部は、一体に形成されることを特徴とする請求項２に記載のフレームとシートレールを兼ねるバスの側面パネルアセンブリ。
【請求項４】
前記把持部は、
前記フレーム部の上部が前記把持部の内側に位置するように前記フレーム部を把持し、前記下部パネルと前記上部パネルとの間が気密になるように結合されることを特徴とする請求項３に記載のフレームとシートレールを兼ねるバスの側面パネルアセンブリ。
【請求項５】
前記フレーム部の上部には、前記フレーム部の内部側に段差を付けて形成され、前記把持部の下端がそれ以上挟まれないように制限するストッパが形成されることを特徴とする請求項４に記載のフレームとシートレールを兼ねるバスの側面パネルアセンブリ。
【請求項６】
前記下部パネルと前記上部パネルは、押出（ｅｘｔｒｕｓｉｏｎ）工程で製作されることを特徴とする請求項２または３に記載のフレームとシートレールを兼ねるバスの側面パネルアセンブリ。
【請求項７】
前記下部パネルと前記上部パネルは、アルミニウム合金からなることを特徴とする請求項２または３に記載のフレームとシートレールを兼ねるバスの側面パネルアセンブリ。
【請求項８】
前記シートレール部には、前記シートレール部の内部に挿入された締結ボルトのヘッドの離脱を防止する把持突起が形成されることを特徴とする請求項１に記載のフレームとシートレールを兼ねるバスの側面パネルアセンブリ。
【請求項９】
前記シートレール部に締結ボルトのヘッドが挿入され、前記締結ボルトのねじ部が前記シートレール部から突出して設けられ、
前記締結ボルトのねじ部が前記シートの一側に締結された連結ブラケットを貫通し、
前記連結ブラケットを貫通した締結ボルトのねじ部に締結ナットが締結され、前記連結ブラケットがシートレール部に固定されることを特徴とする請求項８に記載のフレームとシートレールを兼ねるバスの側面パネルアセンブリ。
【発明の詳細な説明】
【技術分野】
【０００１】
本発明は、バスの側面パネルに係り、より詳しくは、バスの側面パネルが側方向に設けられるサイドフレームとシートを装着させるシートレールを兼ねるようにしたフレームとシートレールを兼ねるバスの側面パネルアセンブリに関する。
【背景技術】
【０００２】
バスの側面の外形を形成するパネルは、その内側に剛性を維持するために設けられた複数のフレームの外側に装着され、シートを装着するためのマウンティングブラケットも前記フレームに締結されるようにする。（例えば特許文献１参照方）
【０００３】
例えば、図１のI−I線に沿って切開し、図２に断面で示しているように、バスの側面で構造体の役割を果たす複数のフレームをバスの長手方向に設け、前記フレームの外側にパネルを設ける。つまり、車両の長手方向に設けられ、フレームの役割を果たせるように、ウエストレール１１１、スキッドレール１１２、スカートレール１１３および補強パイプ１１４を設け、前記ウエストレール１１１、前記スキッドレール１１２、前記スカートレール１１３および前記補強パイプ１１４の外側に側面パネル１２１、１２２を装着する。この時、前記側面パネルは、上部パネル１２１と下部パネル１２２に分けられて装着される。
【０００４】
しかし、前記のような従来技術に係るバスの側面パネルは、バスの側面構造を維持するフレームとシート装着のためのシートマウンティングブラケット１３１、１３１’が別途に設けられていて、必要な部品の数が多く、これを溶接によって一つに連結しなければならないため、作業工数が増加する問題があった。
【０００５】
つまり、図３に示しているように、上部パネル１２１と下部パネル１２２は、スキッドレール１１２にそれぞれ溶接される構造を有する。前記上部パネル１２１、下部パネル１２２およびスキッドレール１１２を三重に重畳させた状態で、溶接することが難しいため、前記上部パネル１２１の下端と下部パネル１２２の上端はそれぞれスキッドレール１１２に溶接させる。この時、下部パネル１２２の上端は、固定フラップ１２２ａを用いてスキッドレール１１２に溶接する。また、前記上部パネル１２１の下端と下部パネル１２２の上端がスキッドレール１１２に溶接で連結される部分には、防水のために、モールド（図示せず）が追加的に具備されていなければならなかった。
【０００６】
また、図４および図５に示しているように、シートマウンティングブラケット１３１、１３１’が定められた位置に位置していて、シートの配列、間隔を多様にすることができなかった。つまり、座席数を増加または減少させるために各シート間の間隔を縮小または拡大することができず、シートは、前記シートマウンティングブラケット１３１、１３１’が設けられた、定められた箇所にしか設けることができなかった。これにより、シートの数字、配列を調整することができず、各購入者別に所望のとおりシートの個数、間隔などを調整することができなかった。
【０００７】
同時に、車寄子を固定するための空間を設けるために、一部のシートを装着する必要はないが、位置が固定され、購入者が所望の位置、数量に従って車寄子固定のための空間を設けることができない問題もあった。
【先行技術文献】
【特許文献】
【０００８】
【特許文献１】特開平７−２９１１４４号公報
【発明の概要】
【発明が解決しようとする課題】
【０００９】
本発明は前記のような点に鑑みてなされたものであって、本発明の目的は、バスの側面パネルが剛性を維持するフレームとシートを装着するシートレールを兼ねるように一体型構造からなるフレームとシートレールを兼ねるバスの側面パネルアセンブリを提供することを目的とする。
【課題を解決するための手段】
【００１０】
前記したような目的を達成するための本発明の、フレームとシートレールを兼ねるバスの側面パネルアセンブリは、バスの側面下部を形成する下部パネル部と、前記下部パネル部の上端からつながり、内部が中空のパイプ形態に形成されるフレーム部と、前記フレーム部で前記バスの室内側に前記バスの長手方向に沿って溝の形態に形成され、シートが装着される前記シートレール部とが一体に形成される下部パネルを含むことを特徴とする。
【００１１】
前記下部パネルの上方に位置し、その下端が前記フレーム部の上端を収容するように前記フレーム部に結合される上部パネルをさらに含むことを特徴とする。
【００１２】
ここで、前記上部パネルは、前記下部パネルの下部パネル部の上方に位置し、バスの側面上部を形成する上部パネル部と、前記上部パネル部の下端に前記上部パネル部からつながって形成され、前記下部パネルのフレーム部を把持して前記フレーム部に結合される把持部とを含み、前記上部パネル部と把持部は、一体に形成されることを特徴とする。
【００１３】
また、前記把持部は、前記フレーム部の上部が前記把持部の内側に位置するように前記フレーム部を把持し、前記下部パネルと前記上部パネルとの間が気密になるように結合されることを特徴とする。
【００１４】
前記フレーム部の上部には、前記フレーム部の内部側に段差を付けて形成され、前記把持部の下端がそれ以上挟まれないように制限するストッパが形成されることを特徴とする。
【００１５】
前記下部パネルと前記上部パネルは、押出（ｅｘｔｒｕｓｉｏｎ）工程で製作されることを特徴とする。
【００１６】
同時に、前記下部パネルと前記上部パネルは、アルミニウム合金からなることを特徴とする。
【００１７】
一方、前記シートレール部には、前記シートレール部の内部に挿入された締結ボルトのヘッドの離脱を防止する把持突起が形成されることを特徴とする。
【００１８】
ここで、前記シートレール部に締結ボルトのヘッドが挿入され、前記締結ボルトのねじ部が前記シートレール部から突出して設けられ、前記締結ボルトのねじ部が前記シートの一側に締結された連結ブラケットを貫通し、前記連結ブラケットを貫通した締結ボルトのねじ部に締結ナットが締結され、前記連結ブラケットがシートレール部に固定されることを特徴とする。
【発明の効果】
【００１９】
上記の構成を有する、本発明に係るフレームとシートレールを兼ねるバスの側面パネルアセンブリによれば、バスで側面の外形を形成するサイドパネルがフレームの役割とシートマウンティングブラケットの役割を果すように一体に形成され、溶接などの方法によって各構成要素を互いに締結する過程が不要になり、部品数を減少することができる。
【００２０】
また、前記サイドパネルが押出によって製造されるため、溶接部位が発生せず、アルミニウム合金を材質とするため、下塗塗装作業を省略することができる。
【００２１】
同時に、側面上部パネルを側面下部パネルに嵌合する結合により、前記側面上部パネルと側面下部パネルとの間が別のシーリング部材なしにもシーリングが可能になり、特に、シーリング構造が二重に提供され、シーリング性能を向上することができる。
【００２２】
シートを装着するにあたっても、従来技術では、フレーム上の定められた位置にシートマウンティングブラケットが設けられ、シートマウンティングブラケットが設けられた位置でしかシートを装着することができなかったが、バスの長手方向に沿ってシートレール部が形成されていて、車体の構造変更なく、所望の位置にシートを装着することができる。このように、所望の位置にシートを装着することができるため、乗車人員によって車両毎にシートの間隔、配列を異ならせることができ、車寄子を固定させるためにシートを装着しない空間を所望の位置に設けることができる。
【図面の簡単な説明】
【００２３】
【図１】通常のバスの構造を示す側面図である。
【図２】従来技術に係り、側面パネル、フレームおよびシートマウンティングブラケットを示す図１のI−I線に沿った断面図である。
【図３】図２のＡ部分の拡大図である。
【図４】図２のＢ部分の拡大図である。
【図５】従来技術に係り、シートマウンティングブラケットが形成された状態を示す斜視図である。
【図６】本発明に係るフレームとシートレールを兼ねるバスの側面パネルアセンブリを示す断面図である。
【図７】図６のＣ部分の拡大図である。
【図８】本発明に係るフレームとシートレールを兼ねるバスの側面パネルアセンブリを用いてシートを装着した状態を示す部分切開斜視図である。
【発明を実施するための形態】
【００２４】
以下、添付した図面を参照して、本発明に係るフレームとシートレールを兼ねるバスの側面パネルアセンブリについて詳細に説明する。
【００２５】
図６および図６のＣ部分を拡大して図７に示すように、本発明に係るフレームとシートレールを兼ねるバスの側面パネルアセンブリは、それぞれ一体に形成された下部パネルと上部パネルを設け、互いに結合させることによって達成可能である。
【００２６】
下部パネル１０は、バスの外部側面を形成する下部パネル部１１と、前記下部パネル部１１の上端に位置し、剛性を発揮するフレーム部１２と、前記フレーム部１２の一側に溝の形態に形成され、シートＳを締結させることができるシートレール部１３とを含む。
【００２７】
下部パネル部１１は、バスの外部側面を形成する。前記下部パネル部１１は、プレートの形態に形成することにより、バスの外部側面を形成する。
【００２８】
フレーム部１２は、前記下部パネル部１１の上端に形成されるが、前記下部パネル部１１からつながるように形成される。前記フレーム部１２は、剛性を発揮するための部分であって、内部は中空に形成され、前記フレーム部１２の全体的な形状は四角パイプの形態を有することにより、剛性を発揮することができる。
【００２９】
前記フレーム部１２は、後述する上部パネル２０との結合のために、前記フレーム部１２の断面において前記フレーム部１２の上部の内側と外側は段差を付けて形成することが好ましい。前記フレーム部１２の上部は、フレーム部１２の内部側に段差を付けて形成することにより、上部パネル２０の把持部２２の下端がそれ以上挟まれないように制限するストッパ１１ａが形成される。
【００３０】
前記のように、フレーム部１２の上端の内側と外側が段差を付けて形成されていて、前記下部パネル１０が上部パネル２０と結合した時、結合部位面が一定になるようにする。
【００３１】
シートレール部１３は、前記フレーム部１２の一側に溝の形態に形成される。前記シートレール部１３は、前記フレーム部１２でバスの内部、つまり、前記フレーム部１２で下部パネル部１１に連結する部分の反対側に形成される。
【００３２】
前記シートレール部１３の断面をみると、前記フレーム部１２の内側に凹んだ溝の形態に形成されるが、シートＳを固定するために前記シートレール部１３に挿入される締結ボルト３２のヘッドが抜けないようにするための把持突起１３ａが突出して形成される。
【００３３】
前記シートレール部１３がバスの長手方向に形成されているため、シートＳの締結時、前記シートレール部１３で締結ボルト３２をスライディングさせて所望の位置にシートを締結させることができる。また、前記締結ボルト３２のヘッドが前記シートレール部１３に挿入された時には、前記締結ボルト３２のねじ部は、シートレール部１３から突出した状態となる。
【００３４】
一方、前記下部パネルの下端には、従来技術のスカートレールに該当する部分も、前記フレーム部１２と同様に、前記下部パネル１０に一体に形成できる。
【００３５】
このような前記下部パネル１０は、前記下部パネル部１１、前記フレーム部１２および前記シートレール部１３が、図６に示しているように、一定形態の断面を有し、一体に形成され、押出（ｅｘｔｒｕｓｉｏｎ）工程によって製作される。
【００３６】
また、前記下部パネル１０は、耐腐食性に優れたアルミニウム合金を材質とする。
【００３７】
上部パネル２０は、前記下部パネル１０の上方に位置し、前記上部パネル２０の下端が前記下部パネル１０の上端に結合される。前記上部パネル２０は、下端に前記下部パネル１０のフレーム部１２に結合される把持部２２と、前記把持部２２から上部につながって形成され、バスの外部側面を形成する上部パネル部２１を含む。
【００３８】
把持部２２は、前記下部パネル１０のフレーム部１２に結合される部分である。前記把持部２２は、前記下部パネル１０のフレーム部１２の上端を把持する形態に形成され、前記把持部２２がその内部に前記下部パネル１０のフレーム部１２を収容するように結合されることにより、前記上部パネル２０と下部パネル１０とが結合される。
【００３９】
特に、前記把持部２２は、フレーム部１２に結合する時、前記把持部２２の上端の内側端と外側端で互いに結合され、前記下部パネル１０と上部パネル２０との間を二重に気密する効果を得ることができ、従来技術のように別のシーリング部材を適用しなくてもよい効果がある。
【００４０】
一方、前記上部パネル２０の上端には、従来技術のウエストレールに該当する部分が前記上部パネル２０と一体に形成できる。
【００４１】
同時に、前記上部パネル２０も、アルミニウム合金を材質とし、押出工程によって製作される。
【００４２】
前記下部パネル１０と上部パネル２０を上下に結合することにより、バスの側面を形成することができる。つまり、前記下部パネル１０のフレーム部１２の上端に前記上部パネル２０の把持部２２が結合される形態で前記下部パネル１０と上部パネル２０を結合することにより、必要な部品の数を減少することができる。
【００４３】
また、前記下部パネル１０に形成されたフレーム部１２によって剛性を発揮することができるため、従来技術のように別のスキッドレール１１２を介して上部パネルと下部パネルとを連結しなくてもよい。
【００４４】
以下、前記のような構成を有する、本発明に係るフレームとシートレールを兼ねるバスの側面パネルアセンブリを用いてバスの内部にシートＳを締結する方法について説明する。
【００４５】
図８に示しているように、シートレール部１３に締結ボルト３２のヘッドを挿入し、前記締結ボルト３２をシートレール部１３でスライディングさせてシートＳを装着させる位置まで移動させる。前記締結ボルト３２がシートＳを装着させようとする位置まで移動した状態で、前記締結ボルト３２のねじ部が前記シートＳの一側に締結された連結ブラケット３１を貫通するようにした後、締結ナット３３を締結ボルト３２のねじ部に締結し、前記連結ブラケット３１が前記シートレール部１３に締結されるようにして、シートＳを一定の位置に固定することができる。一方、シートの他側は、フロアパネルにボルト締めして固定する。
【００４６】
前記のように、下部パネル１０にバスの長手方向に沿ってシートレール部１３が形成されているため、従来技術のように、シートマウンティングブラケット１３１、１３１’が設けられた位置でのみシートが装着されるようにするのではなく、シートレール部１３で締結ボルト３２をスライディングさせてシートＳが締結された位置が決定されるようにして、バスの購入者が所望の間隔、配列および個数でシートＳを配列することができる。
【００４７】
また、一般シートを装着しない車寄子装着空間を所望の位置と個数に従って設定することができる。
【産業上の利用可能性】
【００４８】
本発明は、バスの側面パネルアセンブリに関する分野に適用可能である。
【符号の説明】
【００４９】
１０  下部パネル
１１  下部パネル部
１２  フレーム部
１３  シートレール部
１３ａ  把持突起
２０  上部パネル
２１  上部パネル部
２２  把持部
３１  連結ブラケット
３２  締結ボルト
３３  締結ナット
１１１  ウエストレール
１１２  スキッドレール
１１３  スカートレール
１１４  補強パイプ
１２１  （側面の）上部パネル
１２２  （側面の）下部パネル
１２２ａ  固定フラップ
１３１、１３１’  シートマウンティングブラケット
Ｓ  シート
【図１】
2014019427.tif 000003
【図２】
2014019427.tif 000004
【図３】
2014019427.tif 000005
【図４】
2014019427.tif 000006
【図５】
2014019427.tif 000007
【図６】
2014019427.tif 000008
【図７】
2014019427.tif 000009
【図８】
2014019427.tif 000010